(57)【特許請求の範囲】
【請求項１】
入力部と制御部と第１、第２のテーブルと表示部とを有する証券情報端末装置の証券情報を表示する表示方法であって、
株式・金融情報と企業関連のニュース情報を含む前記証券情報を受信するステップと、
前記受信した企業関連のニュース情報のニュース見出しを1つ以上の関連銘柄コードと対応させ、前記企業関連のニュース情報の前記ニュース見出しとニュース本文を関連付けるリンク情報を付して、前記企業関連のニュース情報に関連する前記銘柄コード、前記ニュース見出し、前記リンク情報を前記第1のテーブルヘ記憶するステップと、
前記企業関連のニュース本文と前記リンク情報を前記第２のテーブルに記憶するステツプと、
前記入力部から入力された銘柄コードを受付けるステップと、
前記入力された前記銘柄コードに対応する前記ニュース見出し及び前記リンク情報を、前記第1のテーブルから、前記制御部が取り出すステップと、
前記取り出した前記ニュース見出し及び前記リンク情報を前記制御部が前記表示部に表示させると共に、前記ニュース見出しがなければその旨の表示を制御部が表示部に表示させるステップと、
前記表示されたリンク情報の選択入力を前記入力部から受付け、該選択入力に基づいて、前記第２のテーブルから、前記制御部が前記ニュース本文を取り出すステップと、
前記取り出したニュース本文を前記制御部が前記表示部に表示させるステップと、
からなる前記証券情報端末装置の証券情報表示方法。
【請求項２】
前記ニュース見出しを受信できない場合には、前記証券情報端末装置で前記ニュース見出しが作成される、請求項１に記載の証券情報表示方法。
【請求項３】
通信回線を介してコンピュータセンターから配送される、株式・金融情報と企業関運のニュース情報とを含む証券情報の中の企業関連のニュース情報を、関連銘柄コード対応に分類しておき、特定銘柄コードの入力に対して、前記分類結果を利用して該特定銘柄コードの前記企業関連のニュース情報を探索して表示するようにする証券情報端末装置であって、
銘柄コードを入力する入力手段と、
前記通信回線を介して、前記コンピュータセンターから配送される、前記証券情報の中に含まれる前記企業関連のニュース情報に関し、前記関連銘柄コ一ド対応に分類した前記企業関連のニュース情報の見出し及び該企業関運のニュース情報に関連するリンク情報を１つ以上の前記関連銘柄コードと対応付けて該銘柄コードとともに登録する第１のテーブルと、
前記リンク情報と該リンク情報に関連する企業関連のニュース情報の本文を対応付けて登録する第２のテーブルと、
前記入力手段から入力した入力銘柄コードに対応する前記ニュース見出し及びリンク情報を前記第１のテーブルから検索する手段と、
該検索して読出した前記入力銘柄コードと関連する前記ニュース見出し及び前記リンク情報を一覧表として表示すると共に、前記ニュース見出しがなければその旨の表示を制御部が表示部に表示する手段と、
該表示中の一覧表の前記リンク情報から指定して、ニュース本文の表示要求があった時に前記リンク情報に対応する第２のテーブルから前記ニュース本文を読出して表示する手段と、
より成る証券情報端末装置。
【請求項４】
前記通信回線を介して、前記コンピュータセンターから配送される、前記証券情報の中に含まれる前記企業関連のニュース情報に前記ニュース見出しを含まない場合には、前記証券情報端末装置が前記ニュース見出しを作成するものとした請求項３に記載の証券情報端末装置。
【発明の詳細な説明】
【技術分野】
【０００１】
本発明は、株式相場、商品相場、債券相場、為替相場、企業情報、ニュースなどのディーリング業務用データを受信して、各種の値段データを利用者に通知する証券情報表示法及び証券情報端末装置に関する。
【背景技術】
【０００２】
センターからニュースや株式相場等の情報が情報端末装置に送られてくる。情報端末装置は、これを受けて株式相場等を特定企業別に表示する。しかし、ニュース表示は「一般・経済ニュース」「企業・証券ニュース」などのジャンルに分かれてはいるが、特定企業の関連ニュースだけを検索することはできず、特定企業のニュースは、全ニュースデータの中からニュース本文画面を表示させ、目視により探していた。
【発明の概要】
【発明が解決しようとする課題】
【０００３】
目視により特定企業のニュースを探すことよりは、自動的に探索できることが望ましい。ニュースは特定企業別でないために、情報端末装置で何からの仕分けをして、特定企業別の自動的な表示ができると好ましい。
【０００４】
本発明の目的は、端末でニュースの企業別の編集を行い、それを企業別に表示可能にした証券情報表示法及び証券情報端末装置を提供するものである。
【課題を解決するための手段】
【０００５】
本発明は、入力部と制御部と第１、第２のテーブルと表示部とを有する証券情報端末装置の証券情報を表示する表示方法であって、
株式・金融情報と企業関連のニュース情報を含む前記証券情報を受信するステップと、前記受信した企業関連のニュース情報のニュース見出しを１つ以上の関連銘柄コードと対応させ、前記企業関連のニュース情報の前記ニュース見出しとニュース本文を関連付けるリンク情報を付して、前記企業関連のニュース情報に関連する前記銘柄コード、前記ニュース見出し、前記リンク情報を前記第１のテーブルへ記憶するステップと、
前記企業関連のニュース本文と前記リンク情報を前記第２のテーブルに記憶するステップと、
前記入力部から入力された銘柄コードを受付けるステップと、
前記入力された前記銘柄コードに対応する前記ニュース見出し及び前記リンク情報を、前記第１のテーブルから、前記制御部が取り出すステップと、
前記取り出した前記ニュース見出し及び前記リンク情報を前記制御部が前記表示部に表示させると共に、前記ニュース見出しがなければその旨の表示を制御部が表示部に表示させるステップと、
前記表示されたリンク情報の選択入力を前記入力部から受付け、該選択入力に基づいて、前記第２のテーブルから、前記制御部が前記ニュース本文を取り出すステップと、
前記取り出したニュース本文を前記制御部が前記表示部に表示させるステップと、
からなる前記証券情報端末装置の証券情報表示方法を開示する。
【０００６】
本発明は、前記ニュース見出しを受信できない場合には、前記証券情報端末装置で前記ニュース見出しが作成される証券情報表示方法を開示する。
【０００７】
本発明は、前記受信した企業関連のニュース情報のニュース見出しを１つ以上の関連銘柄コードと対応させ、前記企業関連のニュース情報の前記ニュース見出しとニュース本文を関連付けるリンク情報を付して、前記企業関連のニュース情報に関連する前記銘柄コード、前記ニュース見出し、前記リンク情報を前記第１のテーブルへ記憶するステップは、
前記証券情報端末装置に記憶装置を有し、前記企業関連のニュース情報を前記記憶装置に記憶させた後にオンライン的に表示させて行う証券情報表示方法を開示する。
【０００８】
本発明は、通信回線を介してコンピュータセンターから配送される、株式・金融情報と企業関連のニュース情報とを含む証券情報の中の企業関連のニュース情報を、関連銘柄コード対応に分類しておき、特定銘柄コードの入力に対して、前記分類結果を利用して該特定銘柄コードの前記企業関連のニュース情報を探索して表示するようにする証券情報端末装置であって、
銘柄コードを入力する入力手段と、
前記通信回線を介して、前記コンピュータセンターから配送される、前記証券情報の中に含まれる前記企業関連のニュース情報に関し、前記関連銘柄コード対応に分類した前記企業関連のニュース情報の見出し及び該企業関連のニュース情報に関連するリンク情報を１つ以上の前記関連銘柄コードと対応付けて該銘柄コードとともに登録する第１のテーブルと、
前記リンク情報と該リンク情報に関連する企業関連のニュース情報の本文を対応付けて登録する第２のテーブルと、
前記入力手段から入力した入力銘柄コードに対応する前記ニュース見出しを前記第１のテーブルから検索する手段と、
該検索して読出した前記入力銘柄コードと関連する前記ニュース見出し及びリンクアドレスを一覧表として表示すると共に、前記ニュース見出しがなければその旨の表示を制御部が表示部に表示する手段と、
該表示中の一覧表の前記リンクアドレスから指定して、ニュース本文の表示要求があった時に前記リンクアドレスに対応する第２のテーブルから前記ニュース本文を読出して表示する手段と、
より成る証券情報端末装置を開示する。
【０００９】
本発明は、前記通信回線を介して、前記コンピュータセンターから配送される、前記証券情報の中に含まれる前記企業関連のニュース情報に前記ニュース見出しを含まない場合には、前記証券情報端末装置で前記ニュース見出しを作成する手段を有する証券情報端末装置を開示する。
【００１０】
本発明は、前記証券情報端末装置に記憶装置を有し、前記企業関連のニュース情報は、前記記憶装置に記憶させた後にオンライン的に表示させて、前記関連銘柄コード対応に分類した前記企業関連のニュース情報の見出し及び該企業関連のニュース情報に関連するリンク情報を１つ以上の前記関連銘柄コードと対応付けて該銘柄コードとともに登録する第１のテーブルを有する証券情報端末装置を開示する。
【発明の効果】
【００１１】
本発明によれば、１回の検索で企業の関連ニュース見出し一覧を表示し、見出し一覧からニュース本文を表示することが可能となる。
【図面の簡単な説明】
【００１２】
【図１】本発明の企業別ニュースの検索フローチャート例図である。
【図２】本発明のディーリング情報の送信及び受信のためのシステム図である。
【図３】本発明の証券情報端末装置のシステム図である。
【図４】本発明のニュースデータに銘柄コード付加例図である。
【図５】本発明のニュース本文情報テーブル例図である。
【図６】本発明のニュース見出し情報テーブル例図である。
【図７】本発明の特定企業別ニュース表示例図である。
【発明を実施するための形態】
【００１３】
図２は、証券情報端末装置の全体構成例図である。コンピュータセンター１は、株式相場、商品相場、債券相場、為替相場、企業情報、ニュースなどのディーリング情報を、編集した上で通信回線２を介して送出する装置である。コンピュータセンター１は例えば東京証券取引所等に設置又はつながる装置である。情報端末装置３は通信回線２につながり、上記ディーリング情報を受信し、各種の表示を行う。
【００１４】
図３は、情報端末装置３の実施例であり、表示装置２１、記憶装置２２、入力装置（例えばキーボードやマウス）２３、制御装置２４から成る。制御装置２４は、通信回線２からのディーリング情報の受信及び記憶装置２２への情報の記憶、表示装置２１への表示、入力装置２３からの入力データの取り込みの制御・管理を行うと共に、ディーリング情報の中のニュースの企業別の分類編集作業を入力装置２３による支援のもとに行う。入力装置２３は、オペレータ（端末ユーザ）の指示のもとに各種の入力を行うが、その他に各種の操作入力を行う。ニュースの企業別の分類編集作業は、この入力装置２３からのオペレータの編集のための表示装置２１上での表示内容を利用しながらの対話処理により行う。記憶装置２２は、入力してくるディーリング情報の記憶の他に、分類編集作業で得た企業別ニュースを、企業区分で記憶する。
【００１５】
図４は、通信回線２で送られてくるニュース（ニュースデータ又はニュース情報と呼ぶ）に銘柄コードを付加した例である。即ち、コンピュータセンター１からのニュースには、銘柄コードが付加されていない。そこで、端末装置３において、受信した（又は受信記憶した）ニュースを表示装置２１に表示させ、オペレータの判断で、ニュース別に企業割り当てを行い、その企業の銘柄コードをニュース別に入力装置２３から入力し、図４の如く付加した。尚、図４で、１つのニュースデータに２個以上の銘柄コード１、２、…を割り当てる例を示したが、これは１つのニュースデータに複数の企業が係わることがあるためである。例えば、「携帯電話の自由化…」のニュースであれば、携帯電話を生産している会社全部に影響が及び、更にその販売を行う販売会社等にも影響が及ぶ故に、１つのニュースに複数の企業が係わる。
【００１６】
ニュースデータに対してどの銘柄コードを割り当てるかは、オペレータの判断による。ニュースは予期しえない内容を含むため、通信回線２からの受信に対して即座に決定することが困難なことも多い。このような時には、ニュースデータのオンライン的な表示による判断ではなく、ニュースデータを記憶装置２２に一担記憶させてその後でオンライン的に表示させて、ニュース価値判断を下すような仕組みをとることが望ましい。
【００１７】
尚、コンピュータセンター１でニュース別に銘柄コードを付加して送信するようなシステムであれば、端末装置３では、その付加された銘柄コードを見て、企業別のニュース分類を自動的に行える。また、そうではなく、ニュースの分析センター等の個所があってその分析センターがニュース別に銘柄コードを付加するようなシステムにあっても、端末装置３は、自動的なニュースの企業別分類が可能である。ここで自動的とはオペレータによる支援を必要とすることなくとの意である。
【００１８】
制御装置は、オペレータの支援又はその支援を得ることなく、図４の如くニュースデータ別に銘柄コードを作成するが、これは一但、記憶装置２２に格納する。そして、必要とする時に読出して表示装置２１に表示させる。
【００１９】
かかるニュースの分類について更に詳述する。ニュースデータには、ニュース別に、そのニュースそのもの（これを「ニュース本文」と称す）が存在すると共に、その「ニュース見出し」が存在する。「ニュース見出し」は、コンピュータセンターから送られてくる場合にはそのまま利用してよいが、送られてこない場合には、端末側で「ニュース見出し」をオペレータが作成して、「ニュース本文」と共に記憶装置２２に格納させておくことが必要である。
【００２０】
図５には、「ニュース本文」をリンク情報でアドレス付けして格納したテーブル例を示す。これによって、ニュース本文を直接扱うのではなく、リンク情報を扱うだけでニュース編集処理が可能になる。
【００２１】
図６はニュース見出しテーブル例を示す。このテーブルは、ニュースデータに銘柄コードを付加したものであり、ニュースデータの代わりに、「ニュースデータ見出し」を使い、且つニュース本文のアドレス先を示すリンク情報を付加させたものである。これによって、例えばリンク情報Ｄ６１１のニュースの見出しが「４月１日より携帯電話…」であり、且つその関連銘柄が「６７５２」、「６７５６」であることがわかる。こうした図５、図６のテーブルとは記憶装置２２内のものである。図５、図６には、８個のニュース本文例及び８個の銘柄コード（複数）付加例が示されている。更に、図６には、送信時刻を付加している。この送信時刻とはコンピュータセンター１からの送信時刻であり、図６ではこの時刻順に登録させている。
【００２２】
図１は本発明の図５、図６のテーブルに対する検索処理（分類処理）のフローチャートを示す。これは主として制御装置２４によって行うものである。図１において、先ずニュースをその区分に従って観察したい時に、オペレータはその観察したい銘柄コードを入力装置２３から入力する（フローＦ１）。検索キーを１回押下（フローＦ２）すると、図６に示す見出し情報テーブルの中から、入力した銘柄コードを検索する（フローＦ３）。検索の結果、当該銘柄コードがあれば（即ち、その銘柄コード別のニュースがあれば）、当該ニュース見出しの一覧画面を作成する（フローＦ４、Ｆ５）。もし、銘柄コード対応のニュースがなければ、ない旨の表示をし（フローＦ６）、画面上にはそのタイトルのみ表示する。タイトル例としては、銘柄コード対応の企業名及び該当ニュースがない旨の文章例がある。
【００２３】
フローＦ５で作成するニュース見出しの一覧画面とは、図７に示す如きものである。図７は、企業名「国際電気」をその銘柄コード「６７５６」で検索した例であり、図６にはＮｏ．１、Ｎｏ．４、Ｎｏ．７の３つの個所に銘柄コード「６７５６」が存在する。そこで、制御装置２４は、このＮｏ．１、Ｎｏ．４、Ｎｏ．７の内容を読出し、送信時系列順に並べ換えて一覧画面データを作成した。この一覧画面データを表示した例が図７である。図７の表示は図１でフローＦ７で行う。
【００２４】
図７で示すニュース見出し一覧画面は、ニュースの見出しを表示したものであり、この中から更にニュース本文を観察したいのであれば、フローＦ９で観察したいニュースを検索（指定のこと）し、そのニュース本文を図５のテーブルから読出して表示する（フローＦ１０）。尚、フローＦ９でのニュースの検索は、図７の表示画面上の右側のリンク情報をマウスカーソルで指示するか、そうではなくそのリンク情報を入力装置２３から入力して指示するかのいずれかで行う。尚、ニュース本文の格納先の指示にリンク情報を使ったが、これは一種のポイントアドレスであり、単にアドレスを使ってもよい。
【符号の説明】
【００２５】
１  コンピュータセンター
２  通信回線
３  情報端末装置
２１  表示装置
２２  記憶装置
２３  入力装置
２４  制御装置
【図１】
0004384703.tif 000002
【図２】
0004384703.tif 000003
【図３】
0004384703.tif 000004
【図４】
0004384703.tif 000005
【図５】
0004384703.tif 000006
【図６】
0004384703.tif 000007
【図７】
0004384703.tif 000008